(57)【要約】【課題】  本発明は通信機器の筐体に係り、光ファイバーケーブル導入部とこれに取り付くカバーに改良を加え、工事作業の際に、光ファイバーケーブルの損傷を防止した通信機器の筐体を提供することを目的とする。【解決手段】  請求項１に係る通信機器の筐体は、光ファイバーケーブルを接続する光ファイバーケーブル導入部が形成された筐体本体と、前記光ファイバーケーブル導入部を覆って筐体本体に着脱自在に取り付き、光ファイバーケーブル導入方向と交叉する方向へスライド操作可能なカバーとからなり、前記光ファイバーケーブル導入部と前記カバーに、カバー操作時の光ファイバーケーブル断線防止のストッパ機構を設けたことを特徴とする。  そして、請求項２に係る発明は、請求項１に記載の通信機器の筐体に於て、前記ストッパ機構は、筐体本体の光ファイバーケーブル導入部に設けた突起部と、前記カバー側に形成され、カバー操作時に前記突起部が係止する係止部とからなることを特徴とする。【選択図】    図３
2009069494.tif 000002
【特許請求の範囲】
【請求項１】
光ファイバーケーブルを接続する光ファイバーケーブル導入部が形成された筐体本体と、
前記光ファイバーケーブル導入部を覆って筐体本体に着脱自在に取り付き、光ファイバーケーブル導入方向と交叉する方向へスライド操作可能なカバーとからなり、
前記光ファイバーケーブル導入部と前記カバーに、カバー操作時の光ファイバーケーブル断線防止のストッパ機構を設けたことを特徴とする通信機器の筐体。
【請求項２】
前記ストッパ機構は、筐体本体の光ファイバーケーブル導入部に設けた突起部と、
前記カバー側に形成され、カバー操作時に前記突起部が係止する係止部とからなることを特徴とする請求項１に記載の通信機器の筐体。
【請求項３】
前記係止部は、カバーに設けた係止孔であることを特徴とする請求項２に記載の通信機器の筐体。
【請求項４】
前記カバーに、カバー操作時に前記突起部を案内するガイド部を設けたことを特徴とする請求項２または請求項３に記載の通信機器の筐体。
【請求項５】
前記光ファイバーケーブル導入部に挿入孔を形成し、該挿入孔の近傍に前記突起部を設けると共に、
前記カバーに、前記挿入孔に挿入可能で平面視Ｕ字状の切欠き溝を有する突片を形成し、該切欠き溝の先端に、前記突起部が係止する係止孔を設けたことを特徴とする請求項３または請求項４に記載の通信機器の筐体。
【請求項６】
前記突片は、前記挿入孔に係止可能な係止片であることを特徴とする請求項５に記載の通信機器の筐体。
【請求項７】
前記ストッパ機構は、カバー操作時の力点に設けられていることを特徴とする請求項１乃至請求項６のいずれか１項に記載の通信機器の筐体。
【請求項８】
前記カバーは、カバー操作時の力点の押圧操作で撓み、前記係止孔内に前記突起部が係止することを特徴とする請求項７に記載の通信機器の筐体。
【請求項９】
光ファイバーケーブルを接続する光ファイバーケーブル導入部が形成された筐体本体と、
光ファイバーケーブル導入方向に沿って前記筐体本体にヒンジ機構を介してスライド可能、且つ該ヒンジ機構を介して回転可能に取り付き、光ファイバーケーブル導入部を開閉するカバーとからなることを特徴とする通信機器の筐体。
【請求項１０】
前記筐体本体に、前記カバーのスライド規制部を設けたことを特徴とする請求項９に記載の通信機器の筐体。
【発明の詳細な説明】
【技術分野】
【０００１】
本発明は、光ファイバーケーブルを使用して信号の送受信を行う通信機器の筐体に関する。
【背景技術】
【０００２】
従来の電気ケーブルに代え、今日、通信機器は光ファイバーケーブルを使用して信号の送受信を行っており、昨今では、新しい光コネクタの採用によって通信機器への光ファイバーケーブルの接続が簡単に行えるようになり、通信機器の筐体の簡素化，小型化が図られている。
【０００３】
そして、光ファイバーケーブルを筐体に引き込んで固定する場合、特許文献１に開示されたネジ止め構造に代え、昨今ではネジを用いずに光ファイバーケーブルの固定が可能なケーブル固定具が広く使用されており、出願人は特許文献２に於て、光ファイバーケーブルの伝送特性に影響を与えることなく、簡単に光ファイバーケーブルを筐体の光ファイバーケーブル導入部（コネクタ接続部）に固定することができるケーブル固定具を提案した。
【０００４】
また、筐体には、光ファイバーケーブル導入部を覆うカバーが取り付けられており、光コネクタを筐体側のアダプタに接続し、光ファイバーケーブルをケーブル固定具で筐体の光ファイバーケーブル導入部に固定した後、カバーを被せて光ファイバーケーブル導入部を保護している。
【特許文献１】特開平７−１３４２１４号公報
【特許文献２】特願２００６−３３９５５７
【発明の開示】
【発明が解決しようとする課題】
【０００５】
ところで、光ファイバーケーブルは曲げ等の外部ストレスに弱く、工事作業には注意が要求される。
【０００６】
このため、通信機器の保守作業等に於て、光ファイバーケーブル導入部からカバーを取り外す際に、光ファイバーケーブルを傷つけることなく作業を行える筐体のカバー構造が要求されていた。
【０００７】
本発明は斯かる実情に鑑み案出されたもので、光ファイバーケーブル導入部とこれに取り付くカバーに改良を加え、工事作業の際に、光ファイバーケーブルの損傷を防止した通信機器の筐体を提供することを目的とする。
【課題を解決するための手段】
【０００８】
斯かる目的を達成するため、請求項１に係る通信機器の筐体は、光ファイバーケーブルを接続する光ファイバーケーブル導入部が形成された筐体本体と、前記光ファイバーケーブル導入部を覆って筐体本体に着脱自在に取り付き、光ファイバーケーブル導入方向と交叉する方向へスライド操作可能なカバーとからなり、前記光ファイバーケーブル導入部と前記カバーに、カバー操作時の光ファイバーケーブル断線防止のストッパ機構を設けたことを特徴とする。
【０００９】
そして、請求項２に係る発明は、請求項１に記載の通信機器の筐体に於て、前記ストッパ機構は、筐体本体の光ファイバーケーブル導入部に設けた突起部と、前記カバー側に形成され、カバー操作時に前記突起部が係止する係止部とからなることを特徴とし、請求項３に係る発明は、請求項２に記載の通信機器の筐体に於て、前記係止部は、カバーに設けた係止孔であることを特徴とする。
【００１０】
また、請求項４に係る発明は、請求項２または請求項３に記載の通信機器の筐体に於て、前記カバーに、カバー操作時に前記突起部を案内するガイド部を設けたことを特徴とし、請求項５に係る発明は、請求項３または請求項４に記載の通信機器の筐体に於て、前記光ファイバーケーブル導入部に挿入孔を形成し、該挿入孔の近傍に前記突起部を設けると共に、前記カバーに、前記挿入孔に挿入可能で平面視Ｕ字状の切欠き溝を有する突片を形成し、該切欠き溝の先端に、前記突起部が係止する係止孔を設けたことを特徴とする。
【００１１】
更に、請求項６に係る発明は、請求項５に記載の通信機器の筐体に於て、前記突片は、前記挿入孔に係止可能な係止片であることを特徴とし、請求項７に係る発明は、請求項１乃至請求項６のいずれか１項に記載の通信機器の筐体に於て、前記ストッパ機構は、カバー操作時の力点に設けられていることを特徴とする。
【００１２】
更にまた、請求項８に係る発明は、請求項７に記載の通信機器の筐体に於て、前記カバーは、カバー操作時の力点の押圧操作で撓み、前記係止孔内に前記突起部が係止することを特徴とする。
【００１３】
そして、請求項９に係る発明は、光ファイバーケーブルを接続する光ファイバーケーブル導入部が形成された筐体本体と、光ファイバーケーブル導入方向に沿って前記筐体本体にヒンジ機構を介してスライド可能、且つ該ヒンジ機構を介して回転可能に取り付き、光ファイバーケーブル導入部を開閉するカバーとからなることを特徴とし、請求項１０に係る発明は、請求項９に記載の通信機器の筐体に於て、前記筐体本体に、前記カバーのスライド規制部を設けたことを特徴とする。
【発明の効果】
【００１４】
各請求項に係る発明によれば、カバー操作時に、カバーによる光ファイバーケーブルの断線を確実に防止することができることとなった。
【００１５】
また、請求項４に係る発明によれば、ガイド部によってカバーの取付け／取り外し作業がスムーズに行える利点を有し、請求項８に係る発明によれば、より確実にカバーによる光ファイバーケーブルの断線を防止することができる。
【００１６】
そして、請求項９に係る発明によれば、スライド規制部がカバーに当接してスライドを規制するため、カバーの位置決めがなされてカバーの無用な動きを抑制することができる。
【発明を実施するための最良の形態】
【００１７】
以下、本発明の実施形態を図面に基づいて詳細に説明する。
【００１８】
図１乃至図３は請求項１乃至請求項８に係る通信機器の筐体の一実施形態を示し、図示するように筐体１は、上部の角部に平面視矩形状の光ファイバーケーブル導入部（コネクタ接続部）３が凹状に形成された筐体本体５と、光ファイバーケーブル導入部３を覆って筐体本体５に着脱自在に取り付くカバー７とからなり、カバー７は、光ファイバーケーブル９の導入方向と交叉（直交）する方向（図２中、矢印Ａ，Ｂ方向）へスライド操作可能な構造となっている。
【００１９】
尚、筐体本体５及びカバー７は、ＡＢＳ樹脂等を用いて金型成形により夫々一体形成されている。
【００２０】
そして、図３に示すように筐体本体５の側方から光ファイバーケーブル導入部３に光ファイバーケーブル９が導入され、光ファイバーケーブル９の先端に光コネクタ１１が接続されている。そして、光コネクタ１１は、光ファイバーケーブル導入部３の一側面１３に装着したアダプタ１５に直接接続できるようになっている。
【００２１】
また、図示しないが光ファイバーケーブル導入部３の底部１７には、従来と同様、ケーブル固定具が着脱自在に取り付くケーブル固定台が設けられており、既述したように光コネクタ１１をアダプタ１５に接続して、ケーブル固定具で光ファイバーケーブル９をケーブル固定台に固定した後、カバー７を被せて光ファイバーケーブル導入部３を保護するようになっている。
【００２２】
図１乃至図８に示すようにカバー７は、筐体本体５の上面５ａ，側面５ｂ，前面５ｃと夫々面一に取り付く上面７ａ，側面７ｂ，前面７ｃからなる断面Ｌ字状に形成され、側面７ｂには、光ファイバーケーブル導入部３に導入した光ファイバーケーブル９を挿通させる切欠き状のケーブル挿通孔１９が幅広に設けられている。
【００２３】
そして、図２乃至図６，図８に示すようにカバー７の上面７ａの一側縁（図２中、矢印Ａ方向側）の裏面側中央に、光ファイバーケーブル導入部３側に設けた挿入孔２１に係止可能な係止片（突片）２３が外方へ一体的に突設されており、係止片２３の先端にラチェット状の係止爪２５が設けられている。
【００２４】
また、前記係止片２３の左右に、該係止片２３よりも突出量の少ない突片２７，２９が係止片２３と同方向に突設されている。
【００２５】
一方、図２及び図３に示すように光ファイバーケーブル導入部３内には、矢印Ａ方向へスライド操作されるカバー７に対向して段部３１が設けられている。そして、段部３１の上部に、前記突片２７，２９に対応して案内溝３３，３５がカバー７の操作方向に沿って設けられており、両案内溝３３，３５の中間に前記挿入孔２１が開口している。
【００２６】
そして、図２に示すように前記案内溝３３，３５に、夫々、カバー７の突片２７，２９を当接させてカバー７を矢印Ａ方向へスライド操作すると、案内溝３３，３５に沿ってカバー７が同方向へ案内され、前記挿入孔２１に係止片２３が係止して図１の如くカバー７が光ファイバーケーブル導入部３を覆って筐体本体５に取り付くようになっている。
【００２７】
尚、斯様にカバー７が取り付くことで、カバー７の矢印Ａ方向のスライド操作が規制されるが、前記ケーブル挿通孔１９は、カバー７の矢印Ａ方向のスライド操作時に光ファイバーケーブル９がカバー７で断線されない幅寸法を以って形成されている。
【００２８】
そして、図１の如くカバー７が光ファイバーケーブル導入部３を覆って筐体本体５に取り付いた状態で、係止片２３に対応するカバー７の表面側を力点として、これを押圧し乍らカバー７を矢印Ｂ方向へスライド操作すると、挿入孔２１と係止片２３との係止状態が解除されて、カバー７が光ファイバーケーブル導入部３から取り外せるようになっている。
【００２９】
しかし、斯様にカバー７を矢印Ｂ方向へスライド操作した場合、カバー７のスライド量が多いと、ケーブル挿通孔１９を挿通する光ファイバーケーブル９がカバー７で断線してしまう虞がある。
【００３０】
そこで、本実施形態は、カバー操作時（カバー７の取り外し操作時）の光ファイバーケーブル９の断線を防止するストッパ機構を設けたことを特徴とする。
【００３１】
即ち、先ず、図６に示すように前記係止片２３に、カバー７の前面７ｃ側に開口する平面視Ｕ字状の切欠き溝３７を設け、該切欠き溝３７内の先端に係止孔（係止部）３９を設けている。
【００３２】
一方、図３に示すように前記段部３１の上部に、前記係止孔３９に係止可能な突起部４１を挿入孔２１の近傍に設けており、突起部４１は前記切欠き溝３７の形状に沿った平面形状に形成されている。そして、カバー７の取付時に、図２の如く案内溝３３，３５にカバー７の突片２７，２９を当接させて係止片２３先端の係止爪２５を挿入孔２１に当接させると、突起部４１が係止孔３９に対応して切欠き溝３７の先端に軽く挿入するようになっている。
【００３３】
そして、斯かる状態でカバー７を矢印Ａ方向へスライド操作すると、既述したように案内溝３３，３５によってカバー７が同方向へ案内され、また、突起部４１が挿入した切欠き溝３７がカバー７を同方向へ案内するため、挿入孔２１に係止片２３が係止して図１の如くカバー７が光ファイバーケーブル導入部３を覆って筐体本体５に取り付く。尚、この状態で、突起部４１は切欠き溝３７内に位置している。
【００３４】
このように、切欠き溝３７に突起部４１が挿入して該切欠き溝３７がカバー７を矢印Ａ方向へ案内するため、好ましくは前記案内溝３３，３５と突片２７，２９とのガイド機構がカバー操作に必要であるが、案内溝３３，３５と突片２７，２９を省略し、切欠き溝３７と突起部４１のガイド機構のみでカバー７を矢印Ａ方向へ案内させるようにしてもよい。
【００３５】
そして、既述したように、図１の如くカバー７が筐体本体５に取り付いた状態で、係止片２３に対応するカバー７の表面側を力点としてこれを押圧し乍らカバー７を矢印Ｂ方向へスライド操作すると、挿入孔２１と係止片２３との係止状態が解除されてカバー７が光ファイバーケーブル導入部３から取り外せるが、斯様に係止片２３に対応するカバー７の表面側を押圧し乍らカバー７をスライド操作すると、カバー７が下方へ変形する。
【００３６】
このため、図２の如くカバー７が矢印Ｂ方向へ移動して挿入孔２１と係止片２３との係止状態が解除されたとき、カバー７の変形で係止孔３９内に突起部４１が深く係止してカバー７の矢印Ｂ方向への移動を規制し、これにより、カバー７がケーブル挿通孔１９を挿通する光ファイバーケーブル９を断線しないようになっている。
【００３７】
この後、図２の状態からカバー７を上方へ持ち上げて、カバー７を筐体本体５から取り外せばよい。
【００３８】
本実施形態に係る筐体１はこのように構成されているから、筐体１に光ファイバーケーブル９を接続してカバー７を取り付けるには、先ず、図３の如く光コネクタ１１を光ファイバーケーブル導入部３のアダプタ１５に接続して、光ファイバーケーブル９をケーブル固定具で光ファイバーケーブル導入部３のケーブル固定台に固定する。
【００３９】
次いで、図２に示すように光ファイバーケーブル導入部３の案内溝３３，３５にカバー７の突片２７，２９を当接させて、係止片２３の係止爪２５を挿入孔２１に当接させる。
このとき、筐体本体５側の突起部４１が切欠き溝３７の先端に軽く挿入される。
【００４０】
そして、斯かる状態でカバー７を矢印Ａ方向へスライド操作すると、案内溝３３，３５に沿ってカバー７が同方向へ移動すると共に、切欠き溝３７に突起部４１が深く挿入して切欠き溝３７がカバー７を同方向へ案内するため、挿入孔２１に係止片２３が係止して、図１の如くカバー７が光ファイバーケーブル導入部３を覆って筐体本体５に取り付く。
【００４１】
而して、斯様にカバー７が筐体本体５に取り付くことでカバー７の矢印Ａ方向のスライド操作が規制されるが、既述したように前記ケーブル挿通孔１９は、カバー操作によって光ファイバーケーブル９がカバー７で断線されない幅寸法とされているため、カバー７の取付け作業時に光ファイバーケーブル９がカバー７で断線されることがない。
【００４２】
また、保守作業等でカバー７を筐体本体５から取り外す場合には、係止片２３に対応するカバー７の表面側を力点として、これを押圧し乍らカバー７を矢印Ｂ方向へスライド操作すると、挿入孔２１と係止片２３との係止状態が解除される。
【００４３】
そして、斯様にカバー７を押圧するとカバー７は下方へ変形するため、図２の如くカバー７が矢印Ｂ方向へ移動して挿入孔２１と係止片２３との係止状態が解除されたとき、カバー７の変形で係止孔３９内に突起部４１が深く係止してカバー７の矢印Ｂ方向への移動が規制され、これにより、カバー７がケーブル挿通孔１９を挿通する光ファイバーケーブル９を断線することがなくなる。
【００４４】
このように、本実施形態によれば、カバー７の取り外し操作時に、カバー７による光ファイバーケーブル９の断線を防止することができるが、既述したように本実施形態は、係止片２３に対応するカバー７の表面側を力点として、これを押圧し乍らカバー７を矢印Ｂ方向へスライド操作すると、カバー７の変形で係止孔３９内に突起部４１が深く係止してカバー７の矢印Ｂ方向への移動が規制されるようにしたので、カバー操作による光ファイバーケーブル９の断線を確実に防止することができる利点を有する。
【００４５】
また、前記案内溝３３，３５と突片２７，２９からなるガイド機構、そして、前記切欠き溝３７と突起部４１からなるガイド機構によって、カバー７の取付け／取り外し作業がスムーズに行える利点を有する。
【００４６】
尚、前記実施形態では、カバー７の裏面側中央に設けた係止片２３に切欠き溝３７や係止孔３９を設けると共に、これに対応して筐体本体５側に突起部４１を設けたが、前記突片２７，２９に同様な切欠き溝や係止孔を設け、これに対応して筐体本体５側に突起部を設けてカバー７のストッパ機構を構成してもよい。
【００４７】
また、前記切欠き溝３７に代え、係止片２３の先端側下部を断面Ｌ字状に形成して、突起部４１が係止可能な係止爪（係止部）を下方に突設させてもよく、これらの各実施形態によっても、カバー操作の光ファイバーケーブル９の断線を防止することが可能である。
【００４８】
図９及び図１０は請求項９及び請求項１０の一実施形態に係る筐体を示し、図示するように本実施形態に係る筐体４３も、上部の角部に平面視矩形状の光ファイバーケーブル導入部４５が凹状に形成された筐体本体４７と、光ファイバーケーブル導入部４５を覆って筐体本体４７に着脱自在に取り付くカバー４９とで構成されており、筐体本体４７の側方から光ファイバーケーブル導入部４５に光ファイバーケーブル９が導入され、光ファイバーケーブル９先端の光コネクタ１１が、光ファイバーケーブル導入部３の一側面５１側に装着したアダプタ１５に接続できるようになっている。
【００４９】
また、図示しないが光ファイバーケーブル導入部４５の底部５３には、ケーブル固定具が着脱自在に取り付くケーブル固定台が設けられており、光コネクタ１１をアダプタ１５に接続して、ケーブル固定具で光ファイバーケーブル９をケーブル固定台に固定した後、カバー４９を被せて光ファイバーケーブル導入部４５を保護するようになっている。
【００５０】
図９及び図１０に示すようにカバー４９は、筐体本体４７の上面４７ａ，側面４７ｂ，前面４７ｃと夫々面一に取り付く上面４９ａ，側面４９ｂ，前面４９ｃからなる断面Ｌ字状に形成され、側面４ｂにケーブル挿通孔１９が設けられている。
【００５１】
そして、本実施形態は、前記カバー４９を、光ファイバーケーブル導入方向に沿って筐体本体４７にヒンジ機構５５を介してスライド可能、且つ該ヒンジ機構５５を介して回転可能に取り付けたことを特徴としている。
【００５２】
以下、ヒンジ機構５５を説明すると、図１０に示すように筐体本体４７の前面４７ｃと光ファイバーケーブル導入部４５の底部５３との角部に、所定の間隔を空けて２つの矩形状の切欠き５７が形成されると共に、両切欠き５７内に、光ファイバーケーブル９の導入方向に沿って断面円形状の軸５９が設けられている。
【００５３】
一方、図１０及び図１１に示すようにカバー４９の前面４９ｃの底部には、両切欠き５７内の軸５９に回転自在に係合する断面Ｃ字状の係合片６１を先端に有するヒンジ部６３が設けられており、前記ヒンジ機構５５は該ヒンジ部６３と前記軸５９とで構成されている。そして、カバー４９は、軸５９に沿って、即ち、光ファイバーケーブル導入方向に沿って、図１０に示す可動ストロークＬ分だけ同方向（図９中、矢印Ｃ，Ｄ方向）へスライドできるようになっている。
【００５４】
更に、図９及び１０に示すようにカバー４９の上面４９ａの一側縁（図９中、矢印Ｃ方向側）の裏面側中央に、光ファイバーケーブル導入部４５の一側面５１に設けた挿入孔６５に係止可能な係止片６７が外方へ一体的に突設されており、係止片６７の先端にラチェット状の係止爪６９が設けられている。
【００５５】
そして、図９に示すように前記ヒンジ機構５５を介して回転可能なカバー４９を光ファイバーケーブル導入部４５へ戻して、カバー４９を矢印Ｃ方向へスライド操作すると、前記挿入孔６５に係止片６７が係止して、カバー４９が光ファイバーケーブル導入部４５を覆って筐体本体４７に取り付くようになっている。
【００５６】
また、斯様にカバー４９が筐体本体４７に取り付いた状態で、係止片６７に対応するカバー４９の表面側を力点として、これを押圧し乍らカバー４９を矢印Ｄ方向へスライド操作すると、挿入孔６５と係止片６７との係止状態が解除されるようになっている。
【００５７】
そして、カバー４９が矢印Ｄ方向へ可動ストロークＬ分だけスライドすると、切欠き５７の一側面７１がカバー４９のストッパ（スライド規制部）として機能するようになっており、この後、図１０の如くカバー４９を回転させると、光ファイバーケーブル導入部４５が開放されるようになっている。
【００５８】
従って、カバー４９で光ファイバーケーブル導入部４５を閉じるには、カバー４９を図９の如く戻して、これを矢印Ｃ方向へスライド操作すればよい。
【００５９】
本実施形態に係る筐体４３はこのように構成されているから、筐体４３に光ファイバーケーブル９を接続するには、先ず、図１０の如くカバー４９を回転させて光ファイバーケーブル導入部４５を開放した状態で、光コネクタ１１をアダプタ１５に接続し、光ファイバーケーブル９をケーブル固定具で光ファイバーケーブル導入部４５のケーブル固定台に固定する。
【００６０】
この後、カバー４９を図９の如く戻してこれを矢印Ｃ方向へスライド操作すれば、挿入孔６５に係止片６７が係止して、カバー４９が光ファイバーケーブル導入部４５を覆って筐体本体４７に取り付く。
【００６１】
そして、保守作業等の際には、既述したように係止片６７に対応するカバー４９の表面側を押圧し乍らカバー４９を矢印Ｄ方向へスライド操作すれば、挿入孔６５と係止片６７との係止状態が解除され、カバー４９が矢印Ｄ方向へ可動ストロークＬ分だけスライドすると、切欠き５７の一側面７１にカバー４９が当接してスライドが規制される。この後、図１０の如くカバー４９を回転させれば、光ファイバーケーブル導入部４５が開放されることとなる。
【００６２】
このように本実施形態は、ヒンジ機構５５を介してカバー４９を光ファイバーケーブル導入方向に沿って筐体本体４７にスライド可能、且つ該ヒンジ機構５５を介して回転可能に取り付けたので、図１の実施形態と同様、本実施形態によっても、カバー操作時に光ファイバーケーブル９の断線を確実に防止することができることとなった。
【００６３】
また、切欠き５７の一側面７１がカバー４９に当接してスライドを規制するため、カバー４９の位置決めがなされてカバー４９の無用な動きを抑制することができる利点を有する。
【図面の簡単な説明】
【００６４】
【図１】請求項１乃至請求項８の一実施形態に係る筐体の全体斜視図である。
【図２】カバーを僅かにスライド操作した筐体の全体斜視図である。
【図３】カバーを取り外した筐体の全体斜視図である。
【図４】カバーの平面図である。
【図５】カバーの側面図である。
【図６】カバーの底面図である。
【図７】カバーの背面図である。
【図８】カバーの正面図である。
【図９】請求項９及び請求項１０の一実施形態に係る筐体のカバーを僅かにスライド操作した状態の全体斜視図である。
【図１０】カバーを開いた筐体の全体斜視図と要部拡大斜視図である。
【図１１】ヒンジ機構の断面図である。
【符号の説明】
【００６５】
１，４３  筐体
３，４５  光ファイバーケーブル導入部
５，４７  筐体本体
７，４９  カバー
９  光ファイバーケーブル
１１  光コネクタ
１５  アダプタ
１９  ケーブル挿通孔
２１，６５  挿入孔
２３，６７  係止片
２５，６９  係止爪
２７，２９  突片
３１  段部
３３，３５  案内溝
３７  切欠き溝
３９  係止孔
４１  突起部
５５  ヒンジ機構
５７  切欠き
５９  軸
６１  係合片
６３  ヒンジ部
７１  一側面（スライド規制部）
【図１】
2009069494.tif 000003
【図２】
2009069494.tif 000004
【図３】
2009069494.tif 000005
【図４】
2009069494.tif 000006
【図５】
2009069494.tif 000007
【図６】
2009069494.tif 000008
【図７】
2009069494.tif 000009
【図８】
2009069494.tif 000010
【図９】
2009069494.tif 000011
【図１０】
2009069494.tif 000012
【図１１】
2009069494.tif 000013